(57)【要約】【課題】  集合住宅においても、犯行状況を確実に記録することができ、これを低コストで実施することができる簡易監視機能付表札を得ることにある。【解決手段】  デジタルカメラ（２６，１２６）と、固体メモリ（２５，１２５）と、デジタルカメラからの映像信号をパーソナルコンピュータで読み取り可能な静止画像として固体メモリに記録し、この記録が固体メモリの容量に到達したときに、最先の記録を新たな記録によって上書きする制御を行う実行ユニット（２１〜２３，１２１〜１２３）と、これらが収容されたハウジング（１１，１１１）とを備えている。ハウジングが表札としての外観を備え、デジタルカメラがＣＭＯＳカメラからなり、ハウジングの非固定面以外の面から外界の状況を撮影するようにハウジング内部に配置されている。【選択図】  図２
2005045725.tif 000002
【特許請求の範囲】
【請求項１】
デジタルカメラと、固体メモリと、前記デジタルカメラからの映像信号をパーソナルコンピュータで読み取り可能な静止画像として前記固体メモリに記録し、これらの記録が前記固体メモリの容量に到達したときに、最先の記録を新たな記録によって上書きする制御を行う実行ユニットと、これらのユニットが収容されたハウジングとを備え、
前記ハウジングが表札としての外観を備え、前記デジタルカメラがＣＭＯＳカメラからなり、前記ハウジングの非固定面以外の面から外界の状況を撮影するように前記ハウジング内部に配置されていることを特徴とする簡易監視機能付表札。
【発明の詳細な説明】
【技術分野】
【０００１】
この発明は、簡易監視機能付表札に関している。
【背景技術】
【０００２】
防犯を目的とする門柱は提供されている。この門柱は、上部に、表札及び郵便ポストなどの外来設備と監視装置とを、下部に牛乳受け、ガスメータ、電力メータなどを、中間に照明装置を備えている。監視装置は、カメラを備え、異常を捕らえたときに、建物内部から家人が監視し、必要に応じて、警報装置を作動させることができるようにしている（例えば、特許文献１を参照）。
【特許文献１】特開２００２−１３０６５５号公報
【発明の開示】
【発明が解決しようとする課題】
【０００３】
しかしながら、このようなものは、一戸建て家屋を対象としており、マンション等の集合住宅に設置することが困難である。さらに、犯行状況の画像記録がなされないため、犯行の予防を行うことができても、犯人逮捕に必要な情報を得ることができない。たとえ、犯行状況をＶＣＲ装置に記録するにしても、特別なＶＣＲ装置を必要とし、イニシャルコストがもともとかなり高いこともあって、資力のある家庭にしか設置することができない。証拠画像の割り出しも、専門家の手を必要とする。
【０００４】
そこで、本発明の目的は、集合住宅においても、犯行状況を確実に記録することができ、これを低コストで実施することができるようにすることにあり、このために、簡易監視機能付表札を提供しようとするものである。
【課題を解決するための手段】
【０００５】
上記課題を達成するために、本発明の簡易監視機能付表札は、デジタルカメラと、固体メモリと、デジタルカメラからの映像信号をパーソナルコンピュータで読み取り可能な静止画像として固体メモリに記録し、これらの記録が固体メモリの容量に到達したときに、最先の記録を新たな記録によって上書きする制御を行う実行ユニットと、これらにユニットが収容されたハウジングとを備えており、ハウジングが表札としての外観を備え、デジタルカメラがＣＭＯＳカメラからなり、ハウジングの非固定面以外の面、例えば、下面や側面から外界の状況を撮影するようにハウジング内部に配置されている。
【発明の効果】
【０００６】
本発明の簡易監視機能付表札は、デジタルカメラと、固体メモリと、デジタルカメラからの映像信号をパーソナルコンピュータで読み取り可能な静止画像として固体メモリに記録し、これらの記録が固体メモリの容量に到達したときに、最先の記録を新たな記録によって上書きする制御を行う実行ユニットと、これらにユニットが収容されたハウジングとを備え、ハウジングが表札としての外観を備え、デジタルカメラがＣＭＯＳカメラからなり、ハウジングの非固定面以外の面から外界の状況を撮影するようにハウジング内部に配置されているため、つまり、全体形状が表札の形態を有しているため、一戸建て住宅のみならず、集合住宅にも設置することができ、犯人に悟られることなく、犯行を画像記録することができる。さらに、画像記録にＣＭＯＳカメラと固体メモリとを使用しているため、電力消費が極めて小さく、さらに、静止画像として固体メモリに記録し、これらの記録が固体メモリの容量に到達したときに、最先の記録を新たな記録によって上書きするようにしているため、記憶容量が一杯になってもメモリ媒体の交換が不要であり、イニシャルコスト及びランニングコストも低くくすることができ、得られたデータもパーソナルコンピュータによって簡単に解析を行うことができる。
【発明を実施するための最良の形態】
【０００７】
以下、図面を参照して、本発明の簡易監視機能付表札の実施例を説明する。
【０００８】
この簡易監視機能付表札は、図１に示すように、ハウジング１１を備えている。ハウジング１１は、表札の外観をもつもので、厚みの薄い直方体をなしている。ハウジング自体は背面を開放された箱形の本体と背面開口を覆う背板とからなっている。本体は、図面にて参照符号１２で示されていて、正面壁には、例えば、「山田太郎」などの名前表示１３が施されている。
【０００９】
ハウジング１１の内部には、図２に示すように、印刷配線板１５が収容されている。印刷配線板１５は、ハウジング１１の背板に固定されている。印刷配線板１５は、マイクロプロセッサ、メモリ、リードオンリーメモリ（ＲＯＭ）などから構成される実行ユニット、それに、電源ユニット、固体メモリなどが実装されている。図１及び図２には、マイクロプロセッサ２１、リードオンリーメモリ２２、コネクタ２３及び電源ユニット２４が図示されている。
【００１０】
固体メモリ２５は、メモリカードで、例えば、コンパクトフラッシュカード（商品名）からなっており、コネクタ２３に差し込まれている。メモリカードを差すための第二のコネクタ２９も印刷配線板１５に実装されている。
【００１１】
さらに、ハウジング１１の内部にはデジタルカメラ２６及びカメラ台２８が組み込まれている。デジタルカメラ２６は、ＣＭＯＳカメラからなっており、これから延びるワイヤーは、印刷配線板１５にコネクタ接続されている。カメラ台２８は、基台、基台上で水平軸を中心に回転する回転板及び回転板を設定回転角度で固定するためのロック機構を備えている。ハウジング本体１２の底壁には窓１４が設けられている。窓１４は、ハウジング１１の本体１２の下面にＣＭＯＳカメラ２６の撮影包囲角度をカバーする幅をもつ開口を設け、該開口をガラス板によって覆うことによって形成されている。ＣＭＯＳカメラ２６は、レンズ２７をハウジング１１の窓１４に向けてカメラ台２８の回転板に固定されている。ＣＭＯＳカメラ２６は、回転板の回転によって、図３に実線で示す位置から、鎖線で示す位置にレンズ２７の首振りを行なえる。
【００１２】
電源ユニット２４は、乾電池あるいは充電池からなっており、印刷配線板上のコネクタに接続され、図２に示すプロセッサ２１、リードオンリーメモリ２２、コネクタ２３に挿入されたメモリカード２５及びＣＭＯＳカメラ２６に電力を供給している。図示されていないが、印刷配線板１５には、スイッチが組み込まれ、このスイッチをオンにすると、電源がＣＭＯＳカメラ２６を含む電子デバイスに給電を行うようにしている。
【００１３】
この簡易監視機能付表札は、例えば、図４に示すように、集合住宅の玄関扉３１の側面に配置される。建物壁に対する固定は、ハウジング１１の背板を建物壁に接着剤にすることによってなされる。固定したら、ピッキングなどを行う犯罪者がＣＭＯＳカメラ２６の撮影角度範囲３２に包含されるように、カメラ台２８を回転し、例えば、玄関扉３１のシリンダ錠３３がＣＭＯＳカメラ２６の撮影角度範囲３２の中心に位置するようにＣＭＯＳカメラ２６の位置決めを行う。それから、ハウジング１１の本体１２を背板に被せ、本体を背板にねじ止めする。外部から簡単に判らないようにするために、隠しねじは、ハウジング１１の本体１２の上面に配置されている。
【００１４】
内部スイッチがオンになると、この簡易監視機能付表札は、電源ユニット２４から電力を供給される。マイクロプロセッサ２１は、リードオンリーメモリ２２からプログラムを読み出した後、ＣＭＯＳカメラ２６に映像を取り込ませ、その映像信号をメモリカード２５への書き込みを行う。このとき、マイクロプロセッサ２１は、記録が単位時間毎に、例えば、０．５秒ごとの記録をメモリカード２５に対して行う。映像は、例えば、３２０×２４０ドットの解像度をもつカラー静止画像データである。データ形式は、ＪＰＥＧであり、ファイル名及び記録時間と一緒にメモリカード２５に格納される。例えば、ある画像は
１００００１．ＪＰＥＧ    ２００７／０７／０７  ０７：０７：００：００
という形式で記録される。１００００１というデータは、画像番号を表しており、画像が変わるごとに、画像番号は、１００００２，１００００３，１００００４…と変化する。
【００１５】
また、２００７／０７／０７  ０７：０７は、画像を記録した年、月、日、時、分、秒を表しており、記録は前述のように０．５秒ごとに行われるため、
２００７／０７／０７  ０７：０７：３０，  ２００７／０７／０７  ０７：０８：００，  ２００７／０７／０７  ０７：０８：３０…と変化する。
【００１６】
マイクロプロセッサ２１は、これらの記録を、メモリカード２５の最大容量２５６ＭＢまで繰り返してメモリカード２５に記録する。最大容量に到達すると、マイクロプロセッサ２１は、最先に書き込まれたファイルを新たなファイルによって上書きし、これを最大容量まで行う。以降これらを繰り返して行う。より具体的に説明すると、マイクロプロセッサ２１は、例えば、３０分間にわたって前述の映像データをメモリカード２５に順次に書き込み、３０分が経過すると、３０分以上前のデータを最新のデータに順次上書きし、以降これを繰り返す作動を行う。
【００１７】
電源ユニット２４の交換は、この簡易監視機能付表札を建物壁から外したあと、ハウジング１１の本体１２から背板を取り除き、内部スイッチをオフにし、新たな電池ユニット２４と入れ替えた後に、逆に操作することでなされる。
【００１８】
画像の取り出しは、この簡易監視機能付表札を建物壁から外し、ハウジング１１の本体１２を背板から取り除き、内部スイッチをオフし、メモリカード２５をコネクタ２３から抜き出し、メモリカード２５をパーソナルコンピュータのメモリカードのリードを行うユニットに差し込み、ＪＰＥＧデータを読むとができるソフトウェアを立ち上げることでなされる。画像を順次チェックしたときに、犯行を示唆する画像を見つけたら、その画像の記録日及び記録時間を表示させることによって簡単に知ることができる。
【００１９】
図５は、本発明の簡易監視機能付表札の他の実施例を示している。
【００２０】
この簡易監視機能付表札において、ハウジング１１１は、中空箱形の本体１１２と本体背面開口を覆う背板とからなり、本体１１２の表面に名前表示１１３が施されている。ハウジング１１１の内部には、カメラ１２６及び印刷配線板１１５が組み込まれている。
【００２１】
カメラ１２６は、ＣＭＯＳカメラからなっており、レンズ１２７をハウジング１１１の一側面に向けて配置されていると共に、ハウジング背板に固定されたカメラ台１２８に固定されている。カメラ台１２８は、カメラ据え付け面が水平面に対してなす角度が異なるものを複数用意されている。ＣＭＯＳカメラ１２６のレンズ１２７は、カメラ台１２８を交換することによって、図５に実線で示す位置と鎖線で示す位置との間を首を振ることができる。ハウジング１１１の本体１１２の側壁には、ＣＭＯＳカメラ１２６の配置位置の各々にて、ＣＭＯＳカメラ１２６の撮影包囲角度をカバーする長さの窓１１４を設けられている。窓自体は、ハウジング１１１の側壁に設けた開口とこの開口を覆うガラス板とからなっている。
【００２２】
印刷配線板１１５は、ハウジング１１１の背板に固定されている。印刷配線板１１５にはマイクロプロセッサ、メモリ、リードオンリーメモリ、メモリカードのコネクタ、電源ユニット、電源スイッチなどが実装されている。これらのうち、図には、マイクロプロセッサ１２１、リードオンリーメモリ１２２、メモリカード１２５、メモリカードのコネクタ１２３，１２９及び電源ユニット１２４が示されている。メモリカード１２５は、例えば、コンパクトフラッシュカード（商品名）で、コネクタ１２３に差し込まれている。
【００２３】
この簡易監視機能付表札は、集合住宅の玄関扉の側面に配置され、ハウジング１１１の背板を建物壁に植えられたボルトに締結することによって建物壁に固定される。ＣＭＯＳカメラ１２６は、カメラ台１２８の交換を行なうことで、その撮影範囲にピッキング強盗などを行う犯罪者が包含されるように位置決めされる。本体１１２が、この背板に被せられ、本体１１２の上面にある隠しねじによって背板に結合される。
【００２４】
内部スイッチがオンになると、この簡易監視機能付表札は、電源ユニットから電力を供給される。マイクロプロセッサ１２１は、リードオンリーメモリ１２２からプログラムを読み出した後、ＣＭＯＳカメラ１２６に映像を取り込ませ、映像信号の書き込みをメモリカード１２５に対して行う。このとき、マイクロプロセッサ１２１は、記録が単位時間毎に、例えば、０．５秒ごとの記録をメモリカード１２５に行う。映像は、例えば、３２０×１２４０ドットの解像度をもつカラー静止画像データである。データ形式は、ＪＰＥＧであり、ファイル名及び記録時間とともにメモリカード１２５に格納される。マイクロプロセッサ１２１は、これらの記録を、メモリカード１２５の最大容量である２５６ＭＢまで繰り返して行う。最大容量になると、マイクロプロセッサ１２１は、最先に書き込まれたファイルを新たなファイルによって上書きし、これを最大容量まで行い、以降これらを繰り返して行う。
【００２５】
このような簡易監視機能付表札は、図１〜図４に関連して説明した実施例と同様に、玄関扉のシリンダ錠をピッキングしている犯行状況を確実に記録することができ、これを低コストで実施することができることに加えて、ドア側面に配置されると、ＣＭＯＳカメラ１２６のレンズ１２７がハウジング１１１の側面を向いているため、レンズ１２７の存在を犯行者に気づかれることなく撮影記録を行なうことができ、ＣＭＯＳカメラ１２６の位置決めも簡単に構造で行えるため、より安価に提供することができる。
【００２６】
なお、以上述べた実施例において、画像の記録は着脱可能な固体メモリ２５，１２５に記録されているが、印刷配線板１５，１１５に実装した固体メモリであってもよい。この場合、印刷配線板１５，１１５には画像データ読み出しのための端子を設けることが好ましい。また、ハウジング１１，１１１の本体にエレクトロルミネッセンス板を組み込んで、防犯灯を兼ねさせてもよい。さらに、画像の繰り返し記録を行っているが、音あるいは光センサを組み込んで、犯行者が玄関扉に立ったときに、これを検出し、カメラ２６，１２６の記録を開始するようにしてもよい。例えば、音を検知するセンサをハウジング１１，１１１に組み込み、設置されているシリンダ錠３３ごとに、これが発生する周波数パターンをリードオンリーメモリ２２，１２２に格納しておき、犯行者がシリンダ錠３３をいじると、プロセッサ２１，１２１がセンサからの信号と格納されている周波数のパターンを比較し、一致すれば、カメラ２６，１２６の記録を開始するようにしてもよい。さらに、センサが検出したときに、玄関に設置してある投光器を作動させ、夜間でも犯行記録を行えるようにしてもよい。さらに、犯行状況を画像として残すようにしているが、センサが犯行を検出したときに、使用者の携帯電話などに通報するようにしてもよい。例えば、プログラムをリードオンリーメモリ２２，１２２などに格納し、発信機能をもつデバイスを組み込んだカード形態の固体メモリを用意して、このメモリを第二のコネクタ２９，１２９に装着し、センサが検出したときに、使用者の携帯電話にこれを報知するなどしてもよい。本発明による簡易監視機能付表札は、画像記録に要する電力が極めて少ないため、これらを組み込んでも、電源ユニット２４，１２４の交換を長期間にわたって必要としない。
【図面の簡単な説明】
【００２７】
【図１】本発明の簡易監視機能付表札の一実施例を示す斜視図である。
【図２】図１に示す簡易監視機能付表札の正面図である。
【図３】図１に示す簡易監視機能付表札のカメラまわりを破断した正面図である。
【図４】図１に示す簡易監視機能付表札の設置状態を示す説明図である。
【図５】本発明の簡易監視機能付表札の他の実施例を示す一部を破断された正面図である。
【符号の説明】
【００２８】
１１，１１１  ・・・  ハウジング
１３，１１３  ・・・  名前表示
１４，１１４  ・・・  窓
１５，１１５  ・・・  印刷配線板
２１，１２１  ・・・  マイクロプロセッサ
２２，１２２  ・・・  リードオンリーメモリ
２４，１２４  ・・・  電池ユニット
２５，１２５  ・・・  メモリカード
２６，１２６  ・・・  ＣＭＯＳカメラ
２７，１２７  ・・・  レンズ
２８，１２８  ・・・  カメラ台
３１          ・・・  玄関扉
３３          ・・・  シリンダ錠
【図１】
2005045725.tif 000003
【図２】
2005045725.tif 000004
【図３】
2005045725.tif 000005
【図４】
2005045725.tif 000006
【図５】
2005045725.tif 000007